(57)【要約】【課題】熱転写方式によってロール紙の両面に印刷を行う両面印刷方法を提供する。【解決手段】熱転写方式によってロール紙の両面に印刷を行う両面印刷方法が、プラテンローラ１３とサーマルヘッド１１ａの間で熱転写シート７ａとロール紙３を重ね合わせて圧接し、熱転写シート７ａとロール紙３を搬送するとともにロール紙３の上面（第１の面）に画像の印刷を行う第１の印刷工程と、ロール紙３をプラテンローラ１３から引き戻し、ロール紙３の搬送経路を変化させて、プラテンローラ１３側に搬送する搬送工程と、プラテンローラ１３とサーマルヘッド１１ｂの間で熱転写シート７ｂとロール紙３を重ね合わせて圧接し、熱転写シート７ｂとロール紙３を搬送するとともにロール紙の下面（第２の面）に画像の印刷を行う第２の印刷工程を含む。【選択図】図４
2010184491.tif 000002
【特許請求の範囲】
【請求項１】
熱転写方式によってロール紙の両面に印刷を行う両面印刷方法であって、
第１の熱転写シートの色材層が設けられた面と前記ロール紙の第１の面が接するとともに前記ロール紙の第２の面がプラテンローラに接するように、前記プラテンローラと第１のサーマルヘッドの間で前記第１の熱転写シートと前記ロール紙を重ね合わせて圧接し、前記第１の熱転写シートと前記ロール紙を搬送するとともに前記第１のサーマルヘッドを画像データに応じて発熱させ、前記第１の熱転写シートの色材層の色材を前記ロール紙の前記第１の面に転写し、前記ロール紙の前記第１の面に画像の印刷を行う第１の印刷工程と、
前記ロール紙を前記プラテンローラから引き戻し、前記プラテンローラと前記ロール紙の前記第１の面が接するように、前記ロール紙の搬送経路を変化させて、前記プラテンローラ側に搬送する搬送工程と、
第２の熱転写シートの色材層が設けられた面と前記ロール紙の前記第２の面が接するとともに前記ロール紙の前記第１の面がプラテンローラに接するように、前記プラテンローラと第２のサーマルヘッドの間で前記第２の熱転写シートと前記ロール紙を重ね合わせて圧接し、前記第２の熱転写シートと前記ロール紙を搬送するとともに前記第２のサーマルヘッドを画像データに応じて発熱させ、前記第２の熱転写シートの色材層の色材を前記ロール紙の前記第２の面に転写し、前記ロール紙の前記第２の面に画像の印刷を行う第２の印刷工程と、
を含むことを特徴とする両面印刷方法。
【請求項２】
前記第１の熱転写シート、もしくは前記第２の熱転写シートの色材層の色材を前記ロール紙に転写する際、前記ロール紙の搬送は、前記プラテンローラとニップローラとで前記ロール紙を挟持しながら行うことを特徴とする請求項１に記載の両面印刷方法。
【請求項３】
前記第１の熱転写シート、もしくは前記第２の熱転写シートの色材層の色材を前記ロール紙に転写する際、前記ロール紙の搬送は、プラテンローラとクランプとで前記ロール紙を挟持しながら行うことを特徴とする請求項１に記載の両面印刷方法。
【請求項４】
前記第１の印刷工程において、前記ロール紙の前記第１の面に画像の印刷を行うとともに前記ロール紙の前記第１の面に検知マークを形成し、
前記第２の印刷工程において、前記第２の熱転写シートの色材層の色材を前記ロール紙に転写する際、前記ロール紙の搬送は、前記プラテンローラとニップローラとで前記ロール紙を挟持しながら行い、前記検知マークをセンサが検知することによって、前記ロール紙の前記第２の面に印刷される画像の位置を前記第１の印刷工程で前記ロール紙の前記第１の面に印刷された画像の位置に合わせることを特徴とする請求項１に記載の両面印刷方法。
【請求項５】
前記第２の印刷工程において、前記第２の熱転写シートの色材層の色材を前記ロール紙に転写する際、前記ロール紙の搬送は、前記プラテンローラとニップローラとで前記ロール紙を挟持しながら行い、前記ロール紙の先端をセンサが検知することによって、前記ロール紙の前記第２の面に印刷される画像の位置を前記第１の印刷工程で前記ロール紙の前記第１の面に印刷された画像の位置に合わせることを特徴とする請求項１に記載の両面印刷方法。
【請求項６】
請求項１から請求項５のいずれかに記載の両面印刷方法で印刷を行ったロール紙を用いて製本を行う製本工程を含むことを特徴とする製本方法。
【請求項７】
請求項１から請求項５のいずれかに記載の両面印刷方法に用いる印刷装置。
【発明の詳細な説明】
【技術分野】
【０００１】
本発明は熱転写方式によってロール紙の両面に印刷を行う両面印刷方法、製本方法、及び両面印刷方法に用いる印刷装置に関する。
【背景技術】
【０００２】
従来印刷方法の一つとして、サーマルヘッドにより熱転写シートを記録紙に圧接し、サーマルヘッドの発熱部である発熱素子を印刷する画像データに応じて発熱させ、熱転写シートの色材を記録紙に移行させて画像を記録する熱転写方式が知られている。
このような熱転写方式のプリンタにおいても、通常のプリンタと同様、記録紙の両面に印刷を行いたいという要望が増してきている。
熱転写方式のプリンタにおいて両面印刷を可能とするものとして、特許文献１には、記録紙の一面にプリンティングが完了した後、その記録紙を反転させ記録紙の他面にプリンティングをし得るように、第１、２移送ローラ及び第１、２通路と排紙通路を有する熱転写プリンタが示されている（特許文献１）。
【先行技術文献】
【特許文献】
【０００３】
【特許文献１】特開平０９−１９３４３０号公報
【発明の概要】
【発明が解決しようとする課題】
【０００４】
しかしながら、デジタルカメラ等で撮影した画像データを出力する場合は、ロール紙を搭載したプリンタから出力（プリント）されるケースが多く、上記に示した熱転写プリンタは、予め１枚１枚所定の大きさに切断された記録紙に両面印刷を行うものであり、ロール紙に両面印刷を行うものとは異なる。また、近年、デジタルカメラ等で撮影した画像を元として、フォトブック等を作成することが多く行われているが、両面に写真等の画像を熱転写方式にて印画した用紙を用いて製本を行い、フォトブックとして出力するようにすると、印画後の受像紙を冊子等に貼り付けるなどの手間がかからず、高品質のフォトブック等の製本物を提供することができる。
【０００５】
本発明は、前述した問題点に鑑みてなされたもので、その目的は、熱転写方式によってロール紙の両面に印刷を行う両面印刷方法等を提供することである。
【課題を解決するための手段】
【０００６】
前述した目的を達成するために第１の発明は、熱転写方式によってロール紙の両面に印刷を行う両面印刷方法であって、第１の熱転写シートの色材層が設けられた面と前記ロール紙の第１の面が接するとともに前記ロール紙の第２の面がプラテンローラに接するように、前記プラテンローラと第１のサーマルヘッドの間で前記第１の熱転写シートと前記ロール紙を重ね合わせて圧接し、前記第１の熱転写シートと前記ロール紙を搬送するとともに前記第１のサーマルヘッドを画像データに応じて発熱させ、前記第１の熱転写シートの色材層の色材を前記ロール紙の前記第１の面に転写し、前記ロール紙の前記第１の面に画像の印刷を行う第１の印刷工程と、前記ロール紙を前記プラテンローラから引き戻し、前記プラテンローラと前記ロール紙の前記第１の面が接するように、前記ロール紙の搬送経路を変化させて、前記プラテンローラ側に搬送する搬送工程と、第２の熱転写シートの色材層が設けられた面と前記ロール紙の前記第２の面が接するとともに前記ロール紙の前記第１の面がプラテンローラに接するように、前記プラテンローラと第２のサーマルヘッドの間で前記第２の熱転写シートと前記ロール紙を重ね合わせて圧接し、前記第２の熱転写シートと前記ロール紙を搬送するとともに前記第２のサーマルヘッドを画像データに応じて発熱させ、前記第２の熱転写シートの色材層の色材を前記ロール紙の前記第２の面に転写し、前記ロール紙の前記第２の面に画像の印刷を行う第２の印刷工程と、を含むことを特徴とする両面印刷方法である。
【０００７】
上記の構成によれば、ロール紙の両面に熱転写シートの色材を転写できるので、熱転写方式によるロール紙の両面印刷が可能になり、意匠性のあるフォトブック等が作成できる。また、プラテンロールが１つ、サーマルヘッドが２つという構成であり、従来の印刷装置と同程度の大きさのまま、両面印刷が可能になり、フォトブック等のページ数が多い印刷を行う場合には、複数ページの表裏の印刷を短時間で行うことができる。
【０００８】
前記第１の熱転写シート、もしくは前記第２の熱転写シートの色材層の色材を前記ロール紙に転写する際、前記ロール紙の搬送は、前記プラテンローラとニップローラとで前記ロール紙を挟持しながら行ってもよい。また、前記ロール紙の搬送を、プラテンローラとクランプとで前記ロール紙を挟持しながら行ってもよい。
【０００９】
前者では、ニップローラとプラテンローラとでロール紙を挟持しながら確実にロール紙の搬送を行うことができる。またニップローラを用いるので、ロール紙に凹凸を生じさせることがない。
後者では、クランプとプラテンローラとでロール紙を挟持しながら確実にロール紙の搬送を行うことができる。より正確にロール紙３の保持ができるので、印刷画像を両面で確実に合わせることができる。
【００１０】
また、前記第１の印刷工程において、前記ロール紙の前記第１の面に画像の印刷を行うとともに前記ロール紙の前記第１の面に検知マークを形成し、前記第２の印刷工程において、前記第２の熱転写シートの色材層の色材を前記ロール紙に転写する際、前記ロール紙の搬送は、前記プラテンローラとニップローラとで前記ロール紙を挟持しながら行い、前記検知マークをセンサが検知することによって、前記ロール紙の前記第２の面に印刷される画像の位置を前記第１の印刷工程で前記ロール紙の前記第１の面に印刷された画像の位置に合わせることとしてもよい。
【００１１】
上記の構成により、第２の熱転写シートの色材層の色材をロール紙に転写する際、ロール紙の搬送をプラテンローラとニップローラとでロール紙を挟持しながら行う場合でも、ロール紙に印刷された画像の位置が、両面でずれることがなくなる。また、画像を印刷するとともに検知マークを形成するので、あらかじめロール紙に検知マークを設けておかなくても、ロール紙として既製のものを用いることが可能である。
【００１２】
また、前記第２の印刷工程において、前記第２の熱転写シートの色材層の色材を前記ロール紙に転写する際、前記ロール紙の搬送は、前記プラテンローラとニップローラとで前記ロール紙を挟持しながら行い、前記ロール紙の先端をセンサが検知することによって、前記ロール紙の前記第２の面に印刷される画像の位置を前記第１の印刷工程で前記ロール紙の前記第１の面に印刷された画像の位置に合わせることとしてもよい。
【００１３】
上記の構成により、第２の熱転写シートの色材層の色材をロール紙に転写する際、ロール紙の搬送をプラテンローラとニップローラとでロール紙を挟持しながら行う場合でも、ロール紙に印刷された画像の位置が、両面でずれることがなくなる。また、画像を印刷するとともに検知マークを形成する必要がなく、印刷工程を簡略化することができる。
【００１４】
前述した目的を達成するために第２の発明は、第１の発明の両面印刷方法で印刷を行ったロール紙を用いて製本を行う製本工程を含むことを特徴とする製本方法である。
【００１５】
上記の構成により、印画後の受像紙を冊子等に貼り付けるなどの手間がかからずに、両面に熱転写方式により印画された高品質のフォトブック等の製本物を提供することができる。
【００１６】
前述した目的を達成するために第３の発明は、第１の発明の両面印刷方法に用いる印刷装置である。
【発明の効果】
【００１７】
本発明により、熱転写方式によってロール紙の両面に印刷を行う両面印刷方法等を提供することができる。
【図面の簡単な説明】
【００１８】
【図１】本発明の実施形態の両面印刷方法による印刷を行うための両面印刷装置１の一例を示す図
【図２】熱転写シート７ａ（７ｂ）の平面構成の一例を示す図
【図３】ロール紙３の断面構成の一例を示す図
【図４】本発明の第１の実施形態の両面印刷方法により両面印刷を行う手順の一例を示す図
【図５】ロール紙３に形成される検知マーク５１の一例を示す図
【図６】本発明の両面印刷装置１において、クランプ５３ａ（５３ｂ）を用いた構成の一例を示す図
【図７】製本機１００の構成の一例を示す図
【図８】製本方法の一例を示す図
【図９】製本方法の一例を示す図
【図１０】製本方法の一例を示す図
【図１１】ロール紙３への印刷の一例を示す図
【図１２】製本方法の一例を示す図
【発明を実施するための形態】
【００１９】
以下図面に基づいて、本発明の両面印刷方法の実施形態を詳細に説明する。なお、本発明の両面印刷方法は、熱転写方式のうち、昇華転写方式でも、溶融転写方式でも適用することができ、昇華転写方式で画像を印刷すると、階調性が優れているので写真のような高解像度の印画物（印刷物）が得られる。また、溶融転写方式で画像を形成する（印刷）場合は、耐久性を必要とする場合や、メリハリのあるイラスト等に用いることにより溶融転写方式のメリットが十分生かせるものとなる。
図１は、本発明の実施形態の両面印刷方法による印刷を行うための両面印刷装置の一例を示す図である。
【００２０】
図１の両面印刷装置１において、３はロール紙、５はカッタ、７ａ（７ｂ）は熱転写シート、９ａ（９ｂ）は熱転写シート供給ロール、１０ａ（１０ｂ）は熱転写シート巻取ロール、１１ａ（１１ｂ）はサーマルヘッド、１３はプラテンローラ、１５ａ（１５ｂ）はニップローラ、１７はセンサ、１９は搬送ローラ、２１はガイドベーンである。
その他、両面印刷装置１は、図示を省略したローラや搬送路等で構成されるロール紙３の搬送機構、印刷制御を行う制御部を備える。
【００２１】
ロール紙３は、両面印刷を行うべく給紙ロール（不図示）から搬送ローラ等により搬送される。ロール紙３の詳細については後述する。
カッタ５は、両面印刷を行った後、ロール紙３を切断するために用いられる。
熱転写シート７ａ（７ｂ）には、Ｙ（イエロー）、Ｍ（マゼンダ）、Ｃ（シアン）等の色材層が設けられる。熱転写シート７ａ（７ｂ）の詳細については、後述する。
【００２２】
熱転写シート供給ロール９ａ（９ｂ）は、熱転写シート７ａ（７ｂ）を巻き付けたもので、熱転写シート供給ロール９ａ（９ｂ）に巻き付けられた熱転写シート７ａ（７ｂ）は印刷時搬送され、後述のサーマルヘッド１１ａ（１１ｂ）の発熱部を経由して、熱転写シート巻取ロール１０ａ（１０ｂ）に巻き取られる。
【００２３】
サーマルヘッド１１ａ（１１ｂ）は、発熱部、画像情報入力部、昇降部、制御部等（不図示）を有する。
印刷を行う際、サーマルヘッド１１ａ（１１ｂ）は、後述のプラテンローラ１３との間で熱転写シート７ａ（７ｂ）とロール紙３を圧接するとともに、発熱部を構成する発熱素子を画像情報入力部より入力された画像データに応じて発熱させ、前記熱転写シート７ａ（７ｂ）の色材層の色材をロール紙３に転写する。
【００２４】
プラテンローラ１３は円筒状であり、モータ等の駆動機構（不図示）を備えてもよく、印刷時ロール紙３を搬送する。プラテンローラ１３の円筒面ではロール紙３が搬送されるとともに、サーマルヘッド１１ａ（１１ｂ）による印刷が行われる。
ニップローラ１５ａ（１５ｂ）は、ロール紙３の搬送を補助するローラである。一組のニップローラ１５ａ（１５ｂ）がサーマルヘッド１１ａ（１１ｂ）を挟む位置にプラテンローラ１３と近接して設けられる。
印刷を行う際は、ロール紙３をプラテンローラ１３とニップローラ１５ａ（１５ｂ）で挟持しながら確実に搬送を行う。また、ニップローラ１５ａ（１５ｂ）は平滑な表面を有し、ロール紙３の表面に凹凸を生じさせることがない。
【００２５】
センサ１７は、ロール紙３に印刷される画像の位置を両面で合わせる際、ロール紙３に形成された後述の検知マーク５１を検知する。検知マーク５１とセンサ１７の組み合わせは種々考えられ、例えばセンサ１７は赤外線センサなどとすることができる。検知マーク５１については後述する。
図１では、センサ１７が搬送ローラ１９とニップローラ１５ｂの間に設けられている。しかし、後述するが、センサ１７の位置はこれに限らず例えばサーマルヘッド１１ｂ近傍の印刷方向下流側で、プラテンローラ１３の内側に設けることもできる。
【００２６】
搬送ローラ１９は、ロール紙３の搬送機構の一部である。搬送ローラ１９の上方にロール紙３を搬送させたり、搬送ローラ１９の下方にロール紙３を搬送させたりすることができる。
【００２７】
ガイドベーン２１は、方向を切り替えることによりロール紙３の搬送方向を搬送ローラ１９の上方や搬送ローラ１９の下方に変化させるため用いられる。
【００２８】
次に、図２を参照しながら、本実施形態の熱転写シート７ａ（７ｂ）の構成について説明する。
図２は、熱転写シート７ａ（７ｂ）の平面構成の一例を示す図である。
【００２９】
熱転写シート７ａ（７ｂ）は、基材シート上に色材層を設けたものである。熱転写シート７ａ（７ｂ）としては、従来の知られた種々のものを使用可能である。
図２に示すように、熱転写シート７ａ（７ｂ）の平面構成は、Ｙ（イエロー）やＭ（マゼンダ）やＣ（シアン）の色材層を有する領域が面順次に設けられる。色材の転写順は、Ｙ（イエロー）、Ｍ（マゼンダ）、Ｃ（シアン）となる。また図２に示した平面構成に限らず、例えば画像印刷後の画像を保護するための保護層を有する領域を平面構成としてさらに加えてもよい。また、Ｋ（ブラック）の色材層を有する領域を熱転写シートの平面構成としてさらに加えることもできる。加えて、印刷目的に応じて、金色・銀色の色材層・ホログラム層などを有する領域を加え、特色転写を行うこともできる。
【００３０】
次に、図３を参照しながら、本実施形態のロール紙３の詳細について説明する。図３は、ロール紙３の断面構成の一例を示す図である。
【００３１】
ロール紙３は、紙材２３の両面に、接着層２５、多孔ポリプロピレンフィルム２７、中間層２９、受容層３１が順次設けられる構成となっている。
これらは、強度や耐熱性、色材の染着性など考慮して、様々な構成あるいは材料を用いることができる。
ロール紙の厚みは、最終的に形成される印刷物（フォトブック等）のページの質感にあわせて、厚さ５０〜３００μｍのものを用いることが好ましい。
また、ロール紙３の受容層３１に熱転写シート７ａ（７ｂ）の色材が転写されるが、この受容層３１を両面に設けていることで、ロール紙３の両面印刷が可能である。
【００３２】
続いて、図４を参照しながら、本実施形態の両面印刷方法の流れについて説明する。
図４は、本実施形態の両面印刷方法により両面印刷を行う手順の一例を示す図である。
【００３３】
両面印刷の開始の際には、まず、熱転写シート７ａのＹ（イエロー）の色材層が設けられた領域の一端がサーマルヘッド１１ａの位置に来るように頭出しが行われる。
加えて、ロール紙３の最初の印刷画像の印刷開始位置がプラテンローラ１３の上部でサーマルヘッド１１ａの位置に来るように、ロール紙３が搬送ローラ１９等により送り出される。このときガイドベーン２１は上向きに配置されており、ガイドベーン２１に沿ってロール紙３が搬送ローラ１９の上方に送り出されている。
【００３４】
また、サーマルヘッド１１ａの両端近傍では、ロール紙３がプラテンローラ１３とニップローラ１５ａで挟持されている。サーマルヘッド１１ａの位置では、ロール紙３の下面（第２の面）がプラテンローラ１３に接し、ロール紙３の上面（第１の面）がサーマルヘッド１１ａに対向する。
ロール紙３をプラテンローラ１３とニップローラ１５ａで挟持するので、ロール紙３の搬送を確実に行うことができる。
【００３５】
ついで、サーマルヘッド１１ａが、熱転写シート７ａの下面（色材層が設けられた面）をロール紙３の上面（第１の面）に押し付ける。
すなわち、熱転写シート７ａの下面とロール紙３の上面が接するように、サーマルヘッド１１ａとプラテンローラ１３の間で熱転写シート７ａとロール紙３を重ね合わせて圧接する。
以上に示した状態を図４（ａ）に示す。
【００３６】
その後、ロール紙３を矢印３３の方向に、熱転写シート７ａを矢印３５の方向にそれぞれ搬送しながら、印刷する画像のＹ（イエロー）成分量に対応する画像を熱転写方式により転写する。
すなわち、サーマルヘッド１１ａの発熱部の発熱素子が画像データのＹ（イエロー）成分量に応じて発熱し、画像データのＹ（イエロー）成分量に応じた量だけ、熱転写シート７ａのＹ（イエロー）の色材がロール紙３の上面（第１の面）に転写される。
このようにして、Ｙ（イエロー）の色材を転写した後の状態が図４（ｂ）である。
【００３７】
Ｙ（イエロー）の色材の転写を終えると、サーマルヘッド１１ａを上げて熱転写シート７ａをロール紙３から離し、矢印３７に示す方向にロール紙３を引き戻す。ロール紙３を引き戻す量は、転写時ロール紙３を搬送した量と同量であり、最初の印刷画像の印刷開始位置がサーマルヘッド１１ａと再び同じ位置になる。
また、サーマルヘッド１１ａの位置に熱転写シート７ａのＭ（マゼンダ）の色材層の領域の一端が来るように、矢印３９の方向に熱転写シート７ａを搬送し、頭出しが行われる。
【００３８】
その後、同様の手順でＭ（マゼンダ）、Ｃ（シアン）の色材を画像データの各色の成分量に応じて転写してゆく。また、印刷目的に応じてＫ（ブラック）や金色・銀色の色材・ホログラムの転写や保護層の転写など行うことができる。
【００３９】
このようにして、各色の色材等を画像データに合わせて転写し、１枚の画像の印刷をロール紙３の上面（第１の面）に行うと、次の印刷画像の印刷開始位置がサーマルヘッド１１ａの位置に来るようにロール紙３を所定量送り出し、同様の手順で画像の印刷を行う。
ただし、画像の印刷は一枚ずつ行うようにしてもよく、その場合は一枚の画像をロール紙３の上面（第１の面）に印刷した後、ロール紙３をプラテンローラ１３から引き戻して搬送方向を変化させた後ロール紙３をプラテンローラ１３に向かって送り出し、ロール紙３の第２の面に印刷を行う両面印刷の手順となる。
【００４０】
また、画像の印刷時には、検知マークをロール紙３に形成してもよい。画像を印刷しながら検知マークを印刷することは、フォトブック等を作製する際に、ページの長さが変わる場合（表紙、背表紙、見開きページ、綴じ込みページ等）に都合がよい。
図５を用いて、本実施形態の両面印刷方法においてロール紙３に形成される検知マークについて説明する。
図５は、ロール紙３に形成される検知マーク５１の一例を示す図である。
【００４１】
図５において、４９は一枚の画像が印刷される領域であり、両面で同じ領域が設けられている。ただし、図５の各領域で点線部より右側は、画像印刷領域の先端で色材が転写されない領域である。これは、例えば製本の際の代にあたる。この位置に検知マーク５１が形成される。
検知マーク５１は、画像印刷とともにロール紙３に形成される。検知マーク５１は、ロール紙３に印刷される、センサ１７により検知可能な微小なマークである。例えば、センサ１７を赤外線センサとして、検知マーク５１をカーボンブラックを含む色材などによって形成することができる。
ただし、検知マーク５１はロール紙３に事前に印刷するようにしてもよく（印刷サイズを固定して行う場合等）、この場合、画像印刷時にロール紙３に検知マーク５１を形成しなくてもよい。
【００４２】
また、図５の位置に限らず、印刷のサイズや製本のパターンに応じて画像が転写されない領域に検知マークを形成することができる。また、その形状も様々に設定することができる。
さらに、検知マークにはその他様々なものが考えられる。例えば検知マークとして周囲の領域に対して光沢の度合いが異なる微小領域を形成し、光学式のセンサが光沢の度合いの違いを検知するようにすることもできる。
【００４３】
さて、このようにして所定の数の画像の印刷を行ったあと、図４（ｃ）に示すようにロール紙３を引き戻し、ロール紙３の先端をプラテンローラ１３から離した後、ガイドベーン２１を矢印４１に示すように回転させて下方向に傾斜するようにし、プラテンローラ１３へ向かうロール紙３の搬送経路を下方に切り替える。
【００４４】
その後、図４（ｄ）に示すように、ロール紙３をプラテンローラ１３に向かって送り出す。このときガイドベーン２１は下向きに配置され、ロール紙３はガイドベーン２１に沿って搬送ローラ１９の下方を矢印４３の方向に搬送される。
さらに、ロール紙３の先に印刷を行った面（第１の面）がプラテンローラ１３に接するようにロール紙３をプラテンローラ１３に巻きつけるようにしながら搬送し、ロール紙３の最初の印刷画像の印刷開始位置がサーマルヘッド１１ｂの位置までくるよう所定量のロール紙３を搬送する。
ロール紙３を搬送した状態を図４（ｅ）に示す。
【００４５】
また、このとき、ロール紙３の第１の面に形成された検知マーク５１をセンサ１７が検知する。
センサ１７は、センサ１７で所定の検知マーク５１を検知するときロール紙３の印刷画像の印刷開始位置がサーマルヘッド１１ｂの位置にくるように搬送ローラ１９とニップローラ１５ｂとの間に設けられている。このようにして、両面に印刷する画像の位置合わせをおこなう。このとき、印刷を行う領域と異なる領域の検知マーク５１の検知によって印刷の位置合わせを行って良い。また、センサ１７の位置は、図１や図４（ｅ）に示したものに限らず、例えばプラテンローラ１３の表面を透明の部材で構成し、センサ１７をサーマルヘッド１１ｂ近傍の印刷方向下流側で、プラテンローラ１３の内部に固定して設けるようにしてもよい。このとき、先程形成された検知マーク５１はプラテンローラ１３の内部に設けられたセンサ１７によって検知される。
また、センサ１７の配置は、センサ１７で検知マーク５１を検知するときロール紙３の印刷画像の印刷開始位置がサーマルヘッド１１ｂの位置から所定量離れるように設けてもよい。この場合は、両面の印刷画像の位置合わせは、センサ１７で検知マーク５１を検知した後、所定量のロール紙３を引き戻し、あるいは送り出すことによってなされる。
また、センサ１７にかえてロール紙３の先端を検知するセンサを用い、このセンサでロール紙３の先端を検知することによりロール紙３の搬送制御（両面の印刷画像の位置合わせ）を行ってもよい。これは、例えば色彩等のプラテンローラ１３の表面とロール紙３の表面で異なる要素を検知するようなセンサを設けて行うことができる。この場合、ロール紙３の上面（第１の面）に印刷を行う際に検知マーク５１を形成することが必要でなくなる。
また、この際も、上記と同様にセンサの配置は様々に定め得る。
【００４６】
図４（ｅ）において、サーマルヘッド１１ｂの位置では、ロール紙３の先程印刷が行われた面（第１の面）がプラテンローラ１３と接する。ロール紙３のもう一方の面（第２の面）はサーマルヘッド１１ｂに対向し、印刷がなされる面となる。よって両面印刷が可能になる。
また、サーマルヘッド１１ｂの両側近傍では、ロール紙３がプラテンローラ１３とニップローラ１５ｂで挟持される。
【００４７】
また、ロール紙３の搬送とともに熱転写シート７ｂのＹ（イエロー）の色材層の領域の一端がサーマルヘッド１１ｂの位置に来るように頭出しが行われる。
【００４８】
ついで、サーマルヘッド１１ｂが、熱転写シート７ｂの上面（色材層が設けられた面）をロール紙３の下面（第２の面）に押し付ける。すなわち、熱転写シート７ｂの上面とロール紙３の下面が接するように、サーマルヘッド１１ｂとプラテンローラ１３の間で熱転写シート７ｂとロール紙３を重ね合わせて圧接する。
【００４９】
その後、ロール紙３を矢印４５の方向に、熱転写シート７ｂを矢印４７の方向に搬送しながら、印刷する画像のＹ（イエロー）成分量に対応する画像を熱転写方式により転写する。
【００５０】
Ｙ（イエロー）の色材をロール紙３に転写した後、検知マーク５１をセンサ１７が再び検知するまでロール紙３を引き戻す。このとき、ロール紙３の下面（第２の面）の最初の印刷画像の印刷開始位置が再びサーマルヘッド１１ｂの位置に来る。
同様の手順で、転写する色材をＭ（マゼンダ）やＣ（シアン）に変えながら印刷を行う。各色の色材の転写等を行うと、ロール紙３の下面（第２の面）に一枚の画像が印刷される。
【００５１】
一枚の画像を印刷すると、次の検知マーク５１をセンサ１７が検知するまで、ロール紙３を搬送する。次の検知マーク５１をセンサ１７が検知すると、次の印刷画像の印刷開始位置とサーマルヘッド１１ｂの位置合わせがなされたことになるので、つづいて同様の手順で次の画像を印刷する。
ただし、前述のように画像の印刷は一枚ずつ行うようにしてもよく、その場合は一枚の画像をロール紙３の下面（第２の面）に印刷した後、ロール紙３を切断する手順に移る。
【００５２】
以上説明したように、印刷の際の両面の画像の位置合わせは検知マーク５１をセンサ１７が検知することによって行われる。これにより、ロール紙３の両面に印刷される画像の位置がずれることを防ぐ。
なお、検知マーク５１をロール紙３に事前に印刷しておくことも可能であることを先に述べたが、この場合は、上述したロール紙３の下面（第２の面）に印刷を行う時だけでなく、ロール紙３の上面（第１の面）に印刷を行う場合も、センサによって印刷開始位置を定めることが望ましい。すなわち、事前に印刷された所定の検知マーク５１をセンサが検知するとき、あるいは検知マーク５１をセンサが検知した後所定量搬送して、ロール紙３の印刷画像の印刷開始位置がサーマルヘッド１１ａの位置に来るようにしておく。このようにすると、ロール紙３の上面（第１の面）に印刷を行う時点でより正確に印刷画像の位置を定めることができる。結果、両面での印刷画像の位置合わせをより正確に行うことができる。ロール紙３の先端を検知するセンサを用いる場合も同様である。
これらの場合についても、センサの配置は上述したように様々に定め得る。
【００５３】
このようにして、所定の数の画像をロール紙３の下面（第２の面）に印刷し、両面印刷が終了すると、図４（ｆ）に示すように、カッタ５で画像が印刷された領域に合わせてロール紙３を切断する。なお、印刷した画像の量に応じて、ロール紙３を引き戻した後ロール紙３を切断するようにしてもよい。
【００５４】
以上説明したように、本発明の実施形態によれば、熱転写方式によってロール紙の両面に印刷を行う両面印刷方法等を提供することができる。
また、印刷の際はニップローラ１５ａ（１５ｂ）とプラテンローラ１３とでロール紙３を挟持しながら搬送を行うので、確実な搬送が可能である。加えて平滑な表面を有するニップローラの使用により、ロール紙３の表面に凹凸を生じさせることがない。
また、検知マーク５１を検知することによって、印刷の際の両面の画像の位置合わせを正確に行うことができる。
【００５５】
本実施形態の両面印刷方法では、印刷の際にニップローラ１５ａ（１５ｂ）でロール紙３を挟持しながら熱転写シート７ａ（７ｂ）とともに搬送したが、印刷の際にロール紙３を挟持して搬送する方法はこれに限らず、クランプを用いて行うこともできる。その例を示したものが図６である。
【００５６】
図６（ａ）は、ロール紙３の上面（第１の面）に印刷を行う工程と、ロール紙３の下面（第２の面）に印刷を行う工程の両方で、クランプ（クランプ５３ａ、５３ｂ）とプラテンローラ１３とでロール紙３の先端を挟持しながらロール紙３の搬送を行うものである。
この場合でも、印刷の手順はニップローラ１５ａ（１５ｂ）とプラテンローラ１３でロール紙３を挟持して行う上述の実施形態のものとほぼ同様である。ロール紙３の上面（第１の面）に印刷を行うときはクランプ５３ａとプラテンローラ１３でロール紙３を挟持し、ロール紙３の下面（第２の面）に印刷を行うときはクランプ５３ｂとプラテンローラ１３でロール紙３を挟持しながら、ロール紙３の搬送を行う。クランプ（クランプ５３ａ、５３ｂ）を用いてロール紙３を挟持する場合、より正確にロール紙３の保持を行うことができるので、搬送量の制御のみで両面の印刷画像の位置合わせを正確に行うことができる。
よって、両面の印刷画像の位置合わせについてセンサ１７を用いることが必要でなく、両面印刷装置１の構成としてセンサ１７が必要でない。さらに、ロール紙３の上面（第１の面）に印刷を行う際に検知マーク５１を形成することも必要でなくなる。
また、クランプは、必ずしも２つ要るというわけではなく、ロール紙３の上面（第１の面）に印刷を行う工程と、ロール紙３の下面（第２の面）に印刷を行う工程の両方で、同じクランプを用いてロール紙３を保持するようにすることもできる。
【００５７】
また、図６（ｂ）は、ロール紙３の上面（第１の面）に印刷を行うときはニップローラ１５ａとプラテンローラ１３でロール紙３を挟持し、ロール紙３の下面（第２の面）に印刷を行うときはクランプ５３ｂとプラテンローラ１３でロール紙３の先端を挟持しながらロール紙３の搬送を行うものである。
この場合でも、印刷の手順はニップローラ１５ａ（１５ｂ）とプラテンローラ１３でロール紙３を挟持して行う上述の実施形態のものとほぼ同様である。また、ロール紙３の下面（第２の面）に印刷を行う工程でクランプ５３ｂを用いることにより、より正確にロール紙３の保持を行うことができるので、搬送量の制御のみで両面の印刷画像の位置合わせを正確に行うことができる。
よって、この場合もセンサ１７やロール紙３の上面（第１の面）に印刷を行う際に検知マーク５１を形成することが必要でなくなる。
また、これとは逆に、ロール紙３の上面（第１の面）に印刷を行うときはクランプとプラテンローラ１３でロール紙３の先端を挟持し、ロール紙３の下面（第２の面）に印刷を行うときはニップローラとプラテンローラ１３でロール紙３を挟持しながらロール紙３の搬送を行うようにすることもできる。
この場合でも、印刷の手順はニップローラ１５ａ（１５ｂ）とプラテンローラ１３でロール紙３を挟持して行う上述の実施形態のものとほぼ同様である。ただし、ロール紙３の下面（第２の面）に印刷を行う工程では、両面の印刷画像の位置合わせを正確に行うために、センサ１７及びロール紙３の上面（第１の面）に印刷を行う際に検知マーク５１を形成することが必要になる。ただし、このときセンサ１７にかえて上述したロール紙３の先端を検知するセンサを用いた場合は検知マーク５１を形成することは必要でなくなる。
【００５８】
サーマルヘッド１１ａ（１１ｂ）により印刷する画像に応じた熱をロール紙３に加える際、両面での印画率（色材等を転写する面積）の差や画像の濃度差により、多孔ポリプロピレンフィルム２７等の熱収縮作用でロール紙３が一方の面を内側としてカールする可能性がある。これは後述するロール紙３を用いた製本等において好ましくないため、上記説明した両面印刷装置１にカール矯正機構（不図示）を設け、両面印刷装置１により両面印刷を行い切断したロール紙３のカールを当該カール矯正機構で除去するようにしてもよい。または両面印刷を行ったロール紙３を切断する前にカール矯正機構でカールの除去を行ってもよい。このカール矯正機構は、カールを矯正できる方向、すなわちカールの向きと逆方向に応力を付与できるものであればよく、例えば、搬送ガイドやローラーを用いた搬送機構、ローラーで加熱・加圧する機構、等を用いることができる。
【００５９】
また、両面印刷装置１と製本機を組み合わせ、上記の両面印刷方法で印刷を行ったロール紙を用いてフォトブック等の製本物を作成することができる。即ち、図７（ａ）に示すように、両面印刷装置１と製本機１００を組み合わせ、両面印刷装置１により両面印刷を行い切断したロール紙３を製本機１００に搬送し、製本機１００で製本しフォトブック等の製本物を作成して出力する。
【００６０】
このような製本機１００としては、例えば図７（ｂ）に示すように、ロール紙を折りたたむ折り機構２００、ロール紙をホチキスや製本テープ、背表紙、糊等で綴じる綴じ機構３００、ロール紙を化粧断裁する裁断機構４００等を備えるものを用いることができる。これらの機構としては、既知のものを使用できる。
【００６１】
製本機１００による製本方法の例を説明すると、まず、ロール紙３に両面印刷を行い製本後の製本物の１枚（例えば１つの画像印刷領域）ごとに切断した後、図８（ａ）に示すように、綴じ機構３００により、切断したロール紙６１の位置を揃えて重ね合わせ、重ねたロール紙６１の一辺をホチキス６５で綴じる。次に、裁断機構４００により、綴じた辺と対向する辺を裁断線６９で裁断してフォトブック７０（製本物）として製本する。裁断機構４００による裁断後に綴じ機構３００によりロール紙６１を綴じてもよい。また、綴じ機構３００は、一辺をリング綴じするようなものであってもよい。また、折り機構２００により、綴じた辺の近傍を折り線６３で折るようにしてもよく、これにより製本後のフォトブックが開きやすくなる。また、裁断機構４００では、ロール紙６１の複数の辺を裁断するようにしてもよい。
また、図８（ｂ）に示すように、綴じ機構３００では、重ねたロール紙６１の一辺を製本テープ６７により綴じてもよい。
【００６２】
また、綴じ機構３００では、図９（ａ）に示すような表紙７１（裏表紙含む）を用いてロール紙６１を綴じてもよい。表紙７１としては、例えば両面印刷装置１で印刷を行ったロール紙３を用いることができる。このロール紙３は、製本物の最初と最後のページにあたる２枚分（例えば２つの画像印刷領域分）と、製本物の背にあたる背表紙の幅を含む長さで切断する。背表紙の幅は、紙の厚み（例えば２００ミクロン）に製本物の枚数をかけた長さに２ｍｍから５ｍｍ程度の長さを加えたものとすることができる。ロール紙３を切断する長さは制御部（不図示）にて制御することができる。なお表紙７１として別の用紙を用いてもよい。
【００６３】
綴じ機構３００は、図９（ｂ）に示すように、表紙７１で背表紙７２の部分に糊付けして糊付部７５を形成し、重ねたロール紙６１の一辺を糊付部７５で接着して綴じる。この糊としては、例えばＥＶＡ系ホットメルト接着剤、ポリウレタン系接着剤、アクリル系接着剤等を用いることができる。この際、図９（ａ）、（ｂ）に示すように、背表紙７２の両脇を折り線７３とし、折り機構２００により折る。なお、重ねたロール紙６１の端部に糊付けして表紙７１の背表紙７２を接着して綴じてもよい。
【００６４】
また、表紙７１（ロール紙３）の背表紙７２には、図９（ｃ）に示すように、両面印刷装置１により予め製本物のタイトル等の印刷を行ってもよく、また、図９（ｄ）に示すように、ロール紙６１で、糊付部７５で糊付される端部７６を不図示の研磨手段で予め粗く削るようにしてもよい。これにより、ロール紙６１の、糊付部７５での接着性が増す。
【００６５】
また、両面印刷したロール紙３を、製本後の製本物の複数枚（例えば連続した複数の画像印刷領域）ごとに切断したものを用いて、これを折りたたんで製本を行うこともできる。
【００６６】
この際の製本方法の例を説明すると、まず折り機構２００により、図１０（ａ）に示すように、切断後のロール紙８１を山折り線８３ａ、谷折り線８３ｂの折り線で蛇腹状に折りたたむ。その後、綴じ機構３００により、図１０（ｂ）に示すように、山折り線８３ａの近傍に糊付けして糊付部７５を形成し、図１０（ｃ）に示すように、糊付部７５に背表紙８７を接着して折りたたんだロール紙８１の一辺を綴じる。さらに裁断機構４００により、折りたたんだロール紙８１で綴じた辺と対向する辺（谷折り線８３ｂに対応する）を裁断線６９で裁断して製本する。これによって、図８（ｂ）で製本テープ６７の代わりに背表紙８７で綴じた製本物が得られる。もちろん、背表紙８７と糊付部７５を用いる代わりにホチキス綴じやリング綴じとしてもよい。
【００６７】
綴じ機構３００では、図１０（ｄ）に示すように、前述した表紙７１（裏表紙含む）を用いて、折りたたんだロール紙８１の糊付部７５で表紙７１の背表紙部分を接着して綴じることもできる。表紙７１の背表紙部分に糊付けして折りたたんだロール紙８１の一辺を接着して綴じてもよい。更に、図１０（ｅ）のように、接着部分が設けられた製本テープ６７を用いて前述のように綴じたり、表紙８９と裏表紙９１として別に印刷した（製本物の１枚分の長さの）ロール紙等を重ね合わせて綴じたりしてもよい。また、上述したものと同様、ロール紙８１の糊付けされる端部を予め粗く削るようにして、綴じる際のロール紙８１の接着性を向上させることもできる。
【００６８】
綴じ機構３００により一辺を綴じたり、裁断機構４００によりその対向する辺を裁断したりして製本する際には、ロール紙３への両面印刷は、その綴じ代や、裁断線６９により裁断される裁断部の大きさに応じて、画像印刷領域の間に余白を設けておくようにすることが望ましい。例えば図１１に示すように、製本時に糊付け等が行われ綴じ代９３となる部分、および製本時に裁断線６９で裁断される裁断部９５には余白を設けるようにしておく。これらは制御部（不図示）で制御されるよう予め定めておくようにすることができる。また、綴じ代９３や裁断部９５の幅は同じであるとは限らない。さらに、綴じ代９３等を余白とする代わりに、前述の両面印刷の際に両面印刷装置１にてグレー等の薄い色での印刷を行うようにしてもよい。これにより、フォトブック等の製本物のページを開いたときに、白い部分が目立つことがなくなる。
【００６９】
他の製本方法として、図１２（ａ）に示すように、折り機構２００でロール紙８１を折りたたむ際に、製本時に綴じる辺とこれに対向する辺の間で、短い間隔でロール紙８１を折る部分を設け、一辺を綴じるとともに対向する辺を裁断して製本を行うこともできる。
あるいは、図１２（ｂ）に示すように、折りかえし部分が製本物で綴じる辺とこれに対向する辺の間で形成されるように所定の長さで切断して折り機構２００で折りたたんだロール紙８１に、製本物の１枚ごとに切断したロール紙６１を重ねて綴じ、裁断機構４００での裁断を省略して製本を行うこともできる。
このようにして、図１２（ｃ）に示すようにページの一部を長くしたフォトブック７０を作成し出力して、製本サイズに変化を持たせることができる。この長くしたページに１枚の画像を印刷することなどできる。なお製本サイズに変化を持たせる方法はこれらに限るものでもない。
【００７０】
さらに、図１２（ｄ）に示すように、折り機構２００により、製本物の複数枚（例えば連続した複数の画像印刷領域）ごとに切断したロール紙を蛇腹状に折りたたみ、綴じ機構３００により、折りたたんだロール紙８１の辺（山折り線８３ａと谷折り線８３ｂに対応する）の間をホチキス９７等で綴じて、裁断機構４００により、折りたたんだロール紙８１の辺を裁断線６９で裁断し、折り機構２００により、ホチキス９７等で綴じた位置を折り線９９としてロール紙８１をさらに折ることにより、図１２（ｅ）に示すようなフォトブック７０を得るようにすることもできる。
【００７１】
さて、本実施形態の印刷手順は、両面印刷装置１の制御部を介して制御することができるが、制御方法は、一回の搬送で片面に印刷できる最大印刷枚数等によって定めることができる。
制御部が行う印刷制御の例を説明する。なお、この制御方法は、フォトブックを作成する製本方法に応じて、前述した製本物の１枚ごとにロール紙３を切断したものを用いて製本する枚葉タイプ、製本物の複数枚ごとにロール紙３を切断したものを用いて製本する連続紙タイプの両者で適用可能である。また、マニュアルにて制御してもよいし、オート制御としてもよい。
【００７２】
例えば、フォトブック等を作成する目的で、Ｍ枚の画像を印刷するとする。このとき、一回の搬送で片面に印刷できる最大印刷枚数をＮ枚とする。このとき、制御部はＭ／（２・Ｎ）を計算し、商Ａと余りＢを求める。これより、両面印刷装置１がロール紙３に両面印刷をＡ回繰り返して行うこととする。この後、残ったＢ枚の画像を印刷してゆく。残りのＢ枚の画像は、例えばロール紙３の第１の面あるいは第２の面に一枚ずつ印刷して行くことができる。
【００７３】
これを具体例を挙げて説明する。ページ順にａ、ｂ、ｃ、ｄ、ｅ、ｆ、ｇなる７枚の画像（制御部のメモリに記憶される）をロール紙３に印刷することを考える。また、一回の搬送で片面に印刷できる最大印刷枚数を２枚とする。このとき、Ｍ／（２・Ｎ）の商Ａは１、余りＢは３となる。
このときの印刷手順を説明すると、以下のようになる。すなわち、まずロール紙３の第１の面にａ、ｃの二枚の画像をこの順に印刷した後、ロール紙３の第２の面にｂ、ｄの二枚の画像をこの順に印刷する。これで両面印刷が１回行われ（Ａ＝１）、ｅ、ｆ、ｇの３枚の画像が余ることになる（Ｂ＝３）。この後は、ｅ、ｆ、ｇの画像をこの順にロール紙３の第１の面あるいは第２の面に一枚ずつ印刷することができる。
一回の搬送で片面に印刷できる最大印刷枚数を２枚と想定しているので、ＢについてさらにＢ／２を計算し、商Ｃと余りＤを求め、Ｃ＝１の場合、Ｄをロール紙３の第２の面に最後に１回印刷する枚数とすることもできる。Ｃ＝０の場合、Ｄは第１の面に最後に１回印刷する枚数となる。このとき、余りＤが０の場合は全て両面印刷が行われている状態で、余りＤが１の場合はロール紙３の第２の面の最後の一枚分の画像が印刷されない状態でロール紙３を切断することになる。
【００７４】
なお、枚葉タイプや連続紙タイプ等の製本方法に応じた制御としては、例えばロール紙３への画像の印刷順（例えば上記のａ、ｂ、ｃ、ｄ、ｅ、ｆ、ｇ）を、例えば枚葉タイプや連続紙タイプの製本方法に応じて予め並び替える等して制御でき、以降上記の最大印刷枚数等に応じた印刷制御を同様に行うことができる。
【００７５】
以上、添付図面を参照しながら、本発明に係る両面印刷方法等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００７６】
１………両面印刷装置
３………ロール紙
５………カッタ
７ａ、７ｂ………熱転写シート
９ａ、９ｂ………熱転写シート供給ロール
１０ａ、１０ｂ………熱転写シート巻取ロール
１１ａ、１１ｂ………サーマルヘッド
１３………プラテンローラ
１５ａ、１５ｂ………ニップローラ
１７………センサ
５３ａ、５３ｂ………クランプ
１００………製本機
【図１】
2010184491.tif 000003
【図２】
2010184491.tif 000004
【図３】
2010184491.tif 000005
【図４】
2010184491.tif 000006
【図５】
2010184491.tif 000007
【図６】
2010184491.tif 000008
【図７】
2010184491.tif 000009
【図８】
2010184491.tif 000010
【図９】
2010184491.tif 000011
【図１０】
2010184491.tif 000012
【図１１】
2010184491.tif 000013
【図１２】
2010184491.tif 000014